Podtech/llm-jp-corpus-v4-ja_patent huggingface dataset:
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
使用者の足裏を加温するように構成された、加温装置（４０）であって、
前記足裏と対向する使用状態にて通電により発熱することで、前記足裏を加温するように構成された、発熱部材（４１）と、
前記発熱部材が前記足裏と対向する前記使用状態にて前記使用者の足の皮膚と対向することで、前記使用者における体温以外の生体情報に対応する出力を発生するように構成された、生体センサ（４２）と、
前記生体センサの前記出力により取得された前記生体情報に基づいて、前記使用者における代謝量を取得するように設けられた、代謝量取得部（４５１）と、
前記代謝量取得部により取得された前記代謝量に基づいて、前記発熱部材における通電状態を制御するように設けられた、通電制御部（４５４）と、
前記使用状態にて前記足裏と対向する足載置部（３４）を有する支持体（３０）と、
を備え、
前記足載置部は、土踏まずに対応する低荷重部（３５）と、前記土踏まず以外の部分に対応する高荷重部（３６）とを有し、
前記生体センサは、前記支持体に固定的に支持され、
前記発熱部材は、前記高荷重部における少なくとも足先部に対応する部分に固定的に支持された加温装置。
【請求項２】
前記生体センサは血流センサを含む、請求項１に記載の加温装置。
【請求項３】
前記生体センサは、前記足載置部に固定的に支持された、請求項１又は２に記載の加温装置。
【請求項４】
温度に対応する出力を発生するように構成された、温度センサ（４３）をさらに備え、
前記通電制御部は、前記温度センサの前記出力により取得された前記温度と、前記代謝量取得部により取得された前記代謝量とに基づいて、前記発熱部材における前記通電状態を制御するように設けられた、請求項１〜３のいずれか１つに記載の加温装置。
【請求項５】
前記温度センサは、前記足載置部に固定的に支持された、請求項４に記載の加温装置。
【請求項６】
前記加温装置側にて取得又は生成した情報を外部機器（２０）に向けて送信するように設けられた、通信部（４６）をさらに備えた、請求項１〜６のいずれか１つに記載の加温装置。
【請求項７】
前記通信部は、前記情報を書換可能に保存するメモリ部（４７）を有する、請求項６に記載の加温装置。
【請求項８】
前記通信部は、前記低荷重部に固定的に支持された、請求項６又は７に記載の加温装置。
【請求項９】
前記通電制御部は、前記低荷重部に固定的に支持された、請求項１〜８のいずれか１つに記載の加温装置。
【請求項１０】
前記通電制御部は、前記代謝量取得部により取得された前記代謝量を目標代謝量と一致させるべく、前記発熱部材における前記通電状態を制御するように設けられた、請求項１〜９のいずれか１つに記載の加温装置。
【請求項１１】
前記使用者における基礎代謝量に関連するパラメータを取得するように設けられた、パラメータ取得部（４５２）と、
前記パラメータ取得部によって取得された前記パラメータに基づいて、前記目標代謝量を取得するように設けられた、目標値取得部（４５３）と、
をさらに備えた、請求項１０に記載の加温装置。
【請求項１２】
前記パラメータ取得部は、車両（１０）に設けられたカメラ（５５）及び／又は荷重センサ（５４）を含む、請求項１１に記載の加温装置。
【手続補正２】
【補正対象書類名】明細書
【補正対象項目名】０００５
【補正方法】変更
【補正の内容】
【０００５】
請求項１に記載の加温装置（４０）は、使用者の足裏を加温するように構成されている。
この加温装置は、
前記足裏と対向する使用状態にて通電により発熱することで、前記足裏を加温するように構成された、発熱部材（４１）と、
前記発熱部材が前記足裏と対向する前記使用状態にて前記使用者の足の皮膚と対向することで、前記使用者における体温以外の生体情報に対応する出力を発生するように構成された、生体センサ（４２）と、
前記生体センサの前記出力により取得された前記生体情報に基づいて、前記使用者における代謝量を取得するように設けられた、代謝量取得部（４５１）と、
前記代謝量取得部により取得された前記代謝量に基づいて、前記発熱部材における通電状態を制御するように設けられた、通電制御部（４５４）と、
前記使用状態にて前記足裏と対向する足載置部（３４）を有する支持体（３０）と、
を備え、
前記足載置部は、土踏まずに対応する低荷重部（３５）と、前記土踏まず以外の部分に対応する高荷重部（３６）とを有し、
前記生体センサは、前記支持体に固定的に支持され、
前記発熱部材は、前記高荷重部における少なくとも足先部に対応する部分に固定的に支持されている。
【手続補正３】
【補正対象書類名】明細書
【補正対象項目名】０００６
【補正方法】変更
【補正の内容】
【０００６】
かかる構成においては、前記加温装置の前記使用状態にて、前記発熱部材は、前記足裏と対向する。前記使用状態にて、前記発熱部材は、通電により発熱することで、前記足裏を加温する。前記生体センサは、前記使用状態にて前記使用者の前記足の前記皮膚と対向することで、前記生体情報に対応する前記出力を発生する。これにより、前記体温とは異なる前記生体情報を取得することが可能となる。取得された前記生体情報は、前記発熱部材における通電状態を制御するために利用され得る。したがって、かかる構成によれば、前記使用者の前記生体情報に即した、適切な加温状態が実現され得る。
また、前記使用状態にて、前記発熱部材は、前記使用者の前記足における、少なくとも前記足先部と対向する。したがって、かかる構成によれば、前記足における血流の末端部が、良好に加温される。
さらに、前記代謝量取得部は、前記生体センサの前記出力により取得された前記生体情報に基づいて、前記使用者における前記代謝量を取得する。前記通電制御部は、前記代謝量取得部により取得された前記代謝量に基づいて、前記発熱部材における前記通電状態を制御する。したがって、かかる構成によれば、前記使用者の前記代謝量に即した適切な加温状態が実現され得る。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
被取付部に他の部材を介して取付けられる固定ラックと、
前記固定ラックの前側に配置され、前記固定ラックと共に洗浄用スポンジを挟んで保持する可動ラックと、
を備え、
前記固定ラックは、
前記固定ラックの外周部を構成し、左右方向に延在されたアッパフレーム部と、前記アッパフレーム部の長手方向両端部から下方側へ延出された一対のサイドフレーム部と、有する固定側枠部と、
左右方向に沿って延在され、長手方向両端部が前記サイドフレーム部に固定された複数の固定側横棒と、
一対の前記サイドフレーム部の下端部に形成され、側面視で上側へ開放されたＵ字形状に屈曲されると共に、前記サイドフレーム部の前側に配置された一対の第１支持部と、
前記第１支持部の前側に配置され、側面視で上側へ開放されたＵ字形状に屈曲された一対の第２支持部と、
前記第１支持部と前記第２支持部とを連結する連結部と、
を含んで構成され、
前記可動ラックは、
前記可動ラックの外周部を構成し、矩形枠状に形成された可動側枠部と、
左右方向に沿って延在され、長手方向両端部が前記可動側枠部に固定された複数の可動側横棒と、
を含んで構成されており、
前記可動ラックの下端部が、前記第１支持部又は第２支持部に支持されると共に、前記可動ラックが、前記固定ラックの前側で起立する起立位置と、前記起立位置から前傾した傾倒位置と、の間を回動可能に構成されている洗浄用スポンジの水切りラック。
【請求項２】
前記固定ラックは、平面視で枠状に形成され且つ内部に前記可動ラックが配置されたストッパ部材を有しており、
前記傾倒位置において前記可動ラックが前記ストッパ部材に当接されることで、前記可動ラックが前記傾倒位置に保持される請求項１に記載の洗浄用スポンジの水切りラック。
【請求項３】
前記起立位置において、
前記固定側横棒が、前記固定側枠部に対して前側に配置されており、
前記可動側横棒が、前記可動側枠部に対して後側に配置されており、
側面視で、前記固定側横棒と前記可動側横棒とが上下方向に交互に配置されている請求項１又は請求項２に記載の洗浄用スポンジの水切りラック。
【請求項４】
前記固定側枠部の線径が、前記固定側横棒の線径に比べて大きく設定されており、
前記可動側枠部の線径が、前記可動側横棒の線径に比べて大きく設定されている請求項１〜請求項３の何れか１項に記載の洗浄用スポンジの水切りラック。
【手続補正２】
【補正対象書類名】明細書
【補正対象項目名】０００６
【補正方法】変更
【補正の内容】
【０００６】
本発明の１又はそれ以上の実施形態は、被取付部に他の部材を介して取付けられる固定ラックと、前記固定ラックの前側に配置され、前記固定ラックと共に洗浄用スポンジを挟んで保持する可動ラックと、を備え、前記固定ラックは、前記固定ラックの外周部を構成し、左右方向に延在されたアッパフレーム部と、前記アッパフレーム部の長手方向両端部から下方側へ延出された一対のサイドフレーム部と、有する固定側枠部と、左右方向に沿って延在され、長手方向両端部が前記サイドフレーム部に固定された複数の固定側横棒と、一対の前記サイドフレーム部の下端部に形成され、側面視で上側へ開放されたＵ字形状に屈曲されると共に、前記サイドフレーム部の前側に配置された一対の第１支持部と、前記第１支持部の前側に配置され、側面視で上側へ開放されたＵ字形状に屈曲された一対の第２支持部と、前記第１支持部と前記第２支持部とを連結する連結部と、を含んで構成され、前記可動ラックは、前記可動ラックの外周部を構成し、矩形枠状に形成された可動側枠部と、左右方向に沿って延在され、長手方向両端部が前記可動側枠部に固定された複数の可動側横棒と、を含んで構成されており、前記可動ラックの下端部が、前記第１支持部又は第２支持部に支持されると共に、前記可動ラックが、前記固定ラックの前側で起立する起立位置と、前記起立位置から前傾した傾倒位置と、の間を回動可能に構成されている洗浄用スポンジの水切りラックである。
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明の１又はそれ以上の実施形態は、前記起立位置において、前記固定側横棒が、前記固定側枠部に対して前側に配置されており、前記可動側横棒が、前記可動側枠部に対して後側に配置されており、側面視で、前記固定側横棒と前記可動側横棒とが上下方向に交互に配置されている洗浄用スポンジの水切りラックである。
【手続補正６】
【補正対象書類名】明細書
【補正対象項目名】００１３
【補正方法】変更
【補正の内容】
【００１３】
【図１】図１は、本実施の形態に係る洗浄用スポンジの水切りラックを示す分解斜視図である。
【図２】図２（Ａ）は、図１に示される可動ラックが起立位置に配置された状態の洗浄用スポンジの水切りラックを示す側面図であり、図２（Ｂ）は、図２（Ａ）に示される可動ラックが傾倒位置に配置され且つ洗浄用スポンジを固定ラックと可動ラックとの間で保持した状態を示す側面図であり、図２（Ｃ）は、図２（Ｂ）に示される状態から可動ラックを起立位置側へ回動して洗浄用スポンジを絞った状態を示す側面図である。
【図３】図３（Ａ）は、被取付部をシンク等の角部に設定した場合に、水切りラックのサイドフレーム部と被取付部との干渉状態を模式的に示す平面図であり、図３（Ｂ）は、図３（Ａ）に示される状態から水切りラックの幅方向において吸盤の位置を調節して、サイドフレーム部と被取付部との干渉状態を回避した状態を模式的に示す平面図である。
【手続補正７】
【補正対象書類名】明細書
【補正対象項目名】００４７
【補正方法】変更
【補正の内容】
【００４７】
また、固定ラック２０では、固定側枠フレーム２２の線径が、固定側水切り部２４を構成する固定側水切り横棒２６及び固定側水切り縦棒２８の線径と比べて大きく設定されている。これにより、固定側水切り部２４を支持する固定側枠フレーム２２の強度を高く構成することができる。また、可動ラック４０においても、可動側枠フレーム４２の線径が、可動側水切り部４４を構成する可動側水切り横棒４６及び可動側水切り縦棒４８の線径と比べて大きく設定されている。これにより、可動側水切り部４４を支持する可動側枠フレーム４２の強度を高く構成することができる。その結果、可動ラック４０を傾倒位置から起立位置側へ回動させて、水切りラック１０によって洗浄用スポンジＳを絞るときに、固定ラック２０及び可動ラック４０が歪むことを抑制することができる。したがって、水切りラック１０によって洗浄用スポンジＳを良好に絞ることができる。
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技者の動作を検出可能な検出手段と、
遊技者の動作を促す促進表示の表示を実行可能な促進表示実行手段と、
前記検出手段の検出結果に基づいて特定演出を実行可能な特定演出実行手段と、を備え、
前記特定演出実行手段は、第１演出態様と該第１演出態様とは異なる第２演出態様とのいずれかの態様で実行可能な第１特定演出と、該第１特定演出とは異なる第２特定演出と、を実行可能であり、
前記促進表示実行手段は、
前記第１演出態様の前記第１特定演出が実行されるときに前記第１特定演出が実行されることを示唆する第１促進表示の表示を実行可能であるとともに、
前記第２特定演出が実行されることを示唆する第２促進表示の表示を実行可能である、
ことを特徴とする遊技機。
【手続補正２】
【補正対象書類名】明細書
【補正対象項目名】００１１
【補正方法】変更
【補正の内容】
【００１１】
（Ａ）本発明の一態様による遊技機は、遊技を行うことが可能な遊技機（例えば、パチンコ遊技機１等）であって、遊技者の動作を検出可能な検出手段（例えば、プッシュセンサ３５Ｂ、コントローラセンサユニット３５Ａ等）と、遊技者の動作を促す促進表示の表示を実行可能な促進表示実行手段（例えば、ボタン画像２０１やコントローラ画像２０３を表示可能な画像表示装置５等）と、前記検出手段の検出結果に基づいて特定演出（例えば、キャラクタ役物演出等）を実行可能な特定演出実行手段（例えば、演出制御基板１２等）と、を備え、前記特定演出実行手段は、第１演出態様（例えば、第１キャラクタ役物６１が、第１キャラクタ役物動作演出として、第１キャラクタ役物第１位置Ｐ１１から第１キャラクタ役物第２位置Ｐ１２まで移動する態様）と該第１演出態様とは異なる第２演出態様（例えば、第１キャラクタ役物６１が、第１キャラクタ役物回転演出として、第１キャラクタ役物第２位置Ｐ１２において回転（自転）する態様）とのいずれかの態様で実行可能な第１特定演出（例えば、第１キャラクタ役物動作演出等）と、該第１特定演出とは異なる第２特定演出（例えば、第２キャラクタ役物動作演出等）と、を実行可能であり、前記促進表示実行手段は、前記第１演出態様の前記第１特定演出が実行されるときに前記第１特定演出が実行されることを示唆する第１促進表示の表示を実行可能である（例えば、第１キャラクタ役物動作演出が実行されるときに第１キャラクタ画像２１１を表示可能である等）とともに、前記第２特定演出が実行されることを示唆する第２促進表示２１１が表示される演出等）と、前記第２特定演出が実行されることを示唆する第２促進表示（例えば、図１４（Ｃ−３）に示すように、画像表示装置５にボタン画像２０１及び第２キャラクタ画像２１２が表示される演出等）の表示を実行可能である、ことを特徴とする。
（１）また、遊技を行うことが可能な遊技機（例えば、パチンコ遊技機１等）であって、遊技者の動作を検出可能な検出手段（例えば、プッシュセンサ３５Ｂ、コントローラセンサユニット３５Ａ等）と、遊技者の動作を促す促進表示を実行可能な促進表示実行手段（例えば、ボタン画像２０１やコントローラ画像２０３を表示可能な画像表示装置５等）と、前記検出手段の検出結果に基づいて特定演出（例えば、キャラクタ役物演出等）を実行可能な特定演出実行手段（例えば、演出制御基板１２等）と、を備え、前記特定演出実行手段は、少なくとも第１特定演出（例えば、第１キャラクタ役物動作演出等）と該第１特定演出とは異なる第２特定演出（例えば、第２キャラクタ役物動作演出等）とを実行可能であり、前記促進表示実行手段は、促進表示として、前記第１特定演出が実行されることを示唆する第１促進表示（例えば、図１２（Ｃ−２）に示すように、画像表示装置５にボタン画像２０１及び第１キャラクタ画像２１１が表示される演出等）と、前記第２特定演出が実行されることを示唆する第２促進表示（例えば、図１４（Ｃ−３）に示すように、画像表示装置５にボタン画像２０１及び第２キャラクタ画像２１２が表示される演出等）とを実行可能であることを特徴としてもよい。
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関連する特定表示を表示可能な特定表示手段と、
発光手段と、を備え、
特定表示は、前記有利状態に制御される期待度に応じて複数段階のうちのいずれかの段階により表示され、
前記発光手段は、特定演出に関連して発光するときと、特定表示に関連して発光するときとがあり、
特定演出の実行中において、特定表示の段階が所定段階以上である場合には該特定表示に関連させて前記発光手段の発光制御を行い、特定表示の段階が該所定段階未満である場合には該特定演出に関連させて前記発光手段の発光制御を行い、
前記特定表示手段は、特定表示として保留表示を表示可能である
ことを特徴とする遊技機。
【請求項２】
可変表示を行い、遊技者にとって有利な有利状態に制御可能な遊技機であって、
可変表示に関連する特定表示を表示可能な特定表示手段と、
発光手段と、を備え、
特定表示は、前記有利状態に制御される期待度が異なる複数の表示態様のうちのいずれかの表示態様により表示され、
前記発光手段は、特定演出に関連して発光するときと、特定表示に関連して発光するときとがあり、
特定演出の実行中において、特定表示の表示態様による期待度が所定期待度以上である場合には該特定表示に関連させて前記発光手段の発光制御を行い、特定表示の表示態様による期待度が該所定期待度未満である場合には該特定演出に関連させて前記発光手段の発光制御を行い、
前記特定表示手段は、特定表示として保留表示を表示可能である
ことを特徴とする遊技機。
【手続補正２】
【補正対象書類名】明細書
【補正対象項目名】００１１
【補正方法】変更
【補正の内容】
【００１１】
（１）本発明による遊技機は、可変表示（例えば、特別図柄や演出図柄の変動表示）を行い、遊技者にとって有利な有利状態（例えば、大当り状態）に制御可能な遊技機であって、可変表示に関連する特定表示（例えば、保留表示やアクティブ表示）を表示可能な特定表示手段と、発光手段（例えば、ランプ２００やランプ２００のうちの特別ランプ（発光部材２００ｄ））と、を備え、特定表示は、有利状態に制御される期待度に応じて複数段階（例えば、通常保留＜青色保留＜赤色保留という段階）のうちのいずれかの段階により表示され、発光手段は、特定演出（例えば、ＢＧＭ演出など）に関連して発光するときと、特定表示に関連して発光するときとがあり、特定演出の実行中において、特定表示の段階が所定段階以上である場合（例えば、通常保留＜青色保留＜赤色保留という段階のうち、赤色保留という段階である場合）には該特定表示に関連させて発光手段の発光制御を行い、特定表示の段階が該所定段階未満である場合には該特定演出に関連させて発光手段の発光制御を行い（例えば、図４３の第１制御順序に示されるように、保留予告演出が実行された場合でも、赤色保留未満である場合（例えば青色保留や特殊保留である場合）には、ＢＧＭ演出が優先される）、特定表示手段は、特定表示として保留表示を表示可能であることを特徴とする。
そのような構成によれば、特定表示の段階が所定段階未満である場合には特定演出に関連させて発光手段の発光制御が行われるため、すなわち中断されないため、遊技興趣の低下を防止することができる。
【手続補正３】
【補正対象書類名】明細書
【補正対象項目名】００１２
【補正方法】変更
【補正の内容】
【００１２】
（２）本発明による遊技機は、可変表示（例えば、特別図柄や演出図柄の変動表示）を行い、遊技者にとって有利な有利状態（例えば、大当り状態）に制御可能な遊技機であって、可変表示に関連する特定表示（例えば、保留表示やアクティブ表示）を表示可能な特定表示手段と、発光手段（例えば、ランプ２００やランプ２００のうちの特別ランプ（発光部材２００ｄ））と、を備え、特定表示は、有利状態に制御される期待度が異なる複数の表示態様（例えば、図５８（１）に示す、通常保留＜青色保留＜キャラクタＢ保留＜キャラクタＡ保留＜赤色保留の表示態様）のうちのいずれかの表示態様により表示され、発光手段は、特定演出に関連して発光するときと、特定表示に関連して発光するときとがあり、特定演出の実行中において、特定表示の表示態様による期待度が所定期待度以上である場合には該特定表示に関連させて発光手段の発光制御を行い、特定表示の表示態様による期待度が該所定期待度未満である場合には該特定演出に関連させて発光手段の発光制御を行い（例えば、図５８（２）の第１制御順序に示されるように、保留予告演出が実行された場合でも、保留表示の表示態様による期待度がキャラクタＡのときの期待度未満のである場合（例えば、キャラクタＢ保留や青色保留の場合）には、ＢＧＭ演出が優先される）、特定表示手段は、特定表示として保留表示を表示可能であることを特徴とする。
そのような構成によれば、特定表示の表示態様による期待度が所定期待度未満である場合には特定演出に関連させて発光手段の発光制御が行われるため、すなわち中断されないため、遊技興趣の低下を防止することができる。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関連する情報を保留記憶として記憶する保留記憶手段と、
前記保留記憶に対応する特定表示を表示可能な特定表示手段と、
発光手段と、を備え、
前記発光手段は、特定演出に関連して発光するときと、特定表示に関連して発光するときと、があり、
特定表示は、前記有利状態に制御される期待度が異なる複数の表示態様のうちのいずれの表示態様により表示され、
第１状態において特定演出の実行中であるときは該特定演出に関連させて前記発光手段の発光制御を行い、前記第１状態とは異なる第２状態において特定演出の実行中であって、特定表示の表示態様による期待度が所定期待度以上であるときは特定表示に関連させて前記発光手段の発光制御を行う、
ことを特徴とする遊技機。
【手続補正２】
【補正対象書類名】明細書
【補正対象項目名】００１１
【補正方法】変更
【補正の内容】
【００１１】
（Ａ）本発明による遊技機は、可変表示を行い、遊技者にとって有利な有利状態に制御可能な遊技機であって、可変表示に関連する情報を保留記憶として記憶する保留記憶手段と、保留記憶に対応する特定表示を表示可能な特定表示手段と、発光手段と、を備え、発光手段は、特定演出に関連して発光するときと、特定表示に関連して発光するときと、があり、特定表示は、有利状態に制御される期待度が異なる複数の表示態様のうちのいずれの表示態様により表示され、第１状態において特定演出の実行中であるときは該特定演出に関連させて発光手段の発光制御を行い、第１状態とは異なる第２状態において特定演出の実行中であって、特定表示の表示態様による期待度が所定期待度以上であるときは特定表示に関連させて発光手段の発光制御を行う、ことを特徴とする。
（１）他の態様の遊技機は、可変表示（例えば、特別図柄や演出図柄の変動表示）を行い、遊技者にとって有利な有利状態（例えば、大当り状態）に制御可能な遊技機であって、可変表示に関連する特定表示（例えば、保留表示やアクティブ表示）を表示可能な特定表示手段と、発光手段（例えば、ランプ２００やランプ２００のうちの特別ランプ（発光部材２００ｄ））とを備え、発光手段は、特定演出（例えば、ＢＧＭ演出など）に関連して発光するときと、特定表示に関連して発光するときとがあり、第１状態（例えば、対象変動非実行状態など）において特定演出の実行中である場合には該特定演出に関連させて発光手段の発光制御を行い、第１状態とは異なる第２状態（例えば、対象変動実行状態など）において特定演出の実行中である場合には特定表示に関連させて発光手段の発光制御を行う（図４４参照）ことを特徴とする。
そのような構成によれば、特定演出と特定表示とのいずれに関連させて発光手段の発光制御を行うかを状態に応じて切り替えられるため、遊技興趣の低下を防止することができる。
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関連する特定表示を表示可能な特定表示手段と、
発光手段と、を備え、
前記発光手段は、特定演出に対応した発光パターンにより発光するときと、特定表示に対応した発光パターンにより発光するときと、があり、
特定演出の実行中において、特定表示が表示されてから所定タイミングとなるまでは該特定演出に対応した発光パターンにより前記発光手段の発光制御を行い、該所定タイミング以降は該特定表示に対応した発光パターンにより前記発光手段の発光制御を行う、
ことを特徴とする遊技機。
【手続補正２】
【補正対象書類名】明細書
【補正対象項目名】００１１
【補正方法】変更
【補正の内容】
【００１１】
（１）本発明による遊技機は、可変表示（例えば、特別図柄や演出図柄の変動表示）を行い、遊技者にとって有利な有利状態（例えば、大当り状態）に制御可能な遊技機であって、可変表示に関連する特定表示（例えば、保留表示やアクティブ表示）を表示可能な特定表示手段と、発光手段（例えば、ランプ２００やランプ２００のうちの特別ランプ（発光部材２００ｄ））とを備え、発光手段は、特定演出（例えば、ＢＧＭ演出など）に対応した発光パターンにより発光するときと、特定表示に対応した発光パターンにより発光するときと、があり、特定演出の実行中において、特定表示が表示されてから所定タイミング（例えば、対象変動の開始タイミング（すなわちアクティブ表示が表示されるタイミング）や、赤色保留に変化するタイミング（すなわちスーパーリーチ確定となるタイミング））となるまでは該特定演出に対応した発光パターンにより発光手段の発光制御を行い、該所定タイミング以降は該特定表示に対応した発光パターンにより発光手段の発光制御を行う（図４４，図４５参照）ことを特徴とする。
そのような構成によれば、特定演出に関連させた発光手段の発光制御が頻繁に中断されないため、遊技興趣の低下を防止することができる。
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
遊技を行い、遊技者にとって有利な有利状態に制御可能な遊技機であって、
遊技者が選択可能な複数種類の演出に対応する複数の項目を表示する表示手段と、
前記複数の項目のうちいずれかの項目を選択する選択演出を、少なくとも前記有利状態に制御されている期間に実行可能な選択演出手段と、
前記選択演出手段において選択された項目に対応した演出を実行可能な演出実行手段と、を備え、
前記表示手段は、前記選択演出において、前記複数種類の演出のうちの第１演出が実行されている状態であっても当該第１演出に対応した項目を表示可能であり、
前記演出実行手段は、
前記第１演出が実行されている状態で、当該第１演出とは異なる第２演出に対応する項目が選択された場合には、当該第２演出を実行し、
前記第１演出が実行されている状態で、当該第１演出に対応する項目が再度選択された場合には、実行されている前記第１演出の状態を引継いで実行する、遊技機。
【手続補正２】
【補正対象書類名】明細書
【補正対象項目名】０００６
【補正方法】変更
【補正の内容】
【０００６】
（１） 上記目的を達成するため、本発明に係る遊技機は、
遊技を行い、遊技者にとって有利な有利状態（たとえば、大当り状態等）に制御可能な遊技機（たとえば、パチンコ遊技機１等）であって、
遊技者が選択可能な複数種類の演出に対応する複数の項目を表示する表示手段（たとえば、図２７に示すように、複数種類の楽曲に対応する項目を表示する演出制御用マイクロコンピュータ２００等）と、
前記複数の項目のうちいずれかの項目を選択する選択演出を、少なくとも前記有利状態に制御されている期間に実行可能な選択演出手段（図２７に示すように、選択操作により選択される項目を変更する演出制御用マイクロコンピュータ２００等）と、
前記選択演出手段において選択された項目に対応した演出を実行可能な演出実行手段（図２７に示すように、選択された項目に対応した楽曲の出力や映像の出力を行なう演出制御用マイクロコンピュータ２００等）と、を備え、
前記表示手段は、前記選択演出において前記複数種類の演出のうちの第１演出が実行されている状態であっても当該第１演出に対応した項目を表示可能であり（たとえば、図２７（ｅ）に示すように、楽曲Ａに対応する項目が実行されている状態であっても楽曲Ａに対応する項目を「戻る」で表示可能である等）、
前記演出実行手段は、
前記第１演出が実行されている状態で、当該第１演出とは異なる第２演出に対応する項目が選択された場合には、当該第２演出を実行し（たとえば、図２７（ｈ）に示すように、楽曲Ａとは異なる楽曲Ｂに対応する項目が選択された場合には楽曲Ｂを最初から再生する等）、
前記第１演出が実行されている状態で、当該第１演出に対応する項目が再度選択された場合には、実行されている前記第１演出の状態を引継いで実行する（たとえば、図２７（ｇ）に示すように、楽曲Ａに対応する項目が再度選択された場合には楽曲Ａをそのまま流す等）。
（１）  また、他の遊技機として、
遊技を行なう遊技機（たとえば、パチンコ遊技機１等）であって、
遊技者が選択可能な複数種類の演出に対応する複数の項目を表示する表示手段（たとえば、図２７に示すように、複数種類の楽曲に対応する項目を表示する演出制御用マイクロコンピュータ２００等）と、
前記複数の項目のうちいずれかの項目を選択する選択演出を実行可能な選択演出手段（図２７に示すように、選択操作により選択される項目を変更する演出制御用マイクロコンピュータ２００等）と、
前記選択演出手段において選択された項目に対応した演出を実行可能な演出実行手段（図２７に示すように、選択された項目に対応した楽曲の出力や映像の出力を行なう演出制御用マイクロコンピュータ２００等）とを備え、
前記表示手段は、前記選択演出において前記複数種類の演出のうちの第１演出が実行されている状態であっても当該第１演出に対応した項目を表示可能であり（たとえば、図２７（ｅ）に示すように、楽曲Ａに対応する項目が実行されている状態であっても楽曲Ａに対応する項目を「戻る」で表示可能である等）、
前記演出実行手段は、
前記第１演出が実行されている状態で、当該第１演出とは異なる第２演出に対応する項目が選択された場合には、当該第２演出を実行し（たとえば、図２７（ｈ）に示すように、楽曲Ａとは異なる楽曲Ｂに対応する項目が選択された場合には楽曲Ｂを最初から再生する等）、
前記第１演出が実行されている状態で、当該第１演出に対応する項目が再度選択された場合には、実行されている前記第１演出の状態を引継いで実行する（たとえば、図２７（ｇ）に示すように、楽曲Ａに対応する項目が再度選択された場合には楽曲Ａをそのまま流す等）ようにしてもよい。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
可変表示を行い、特定表示結果が導出表示されることにもとづいて遊技者にとって有利な有利状態に制御可能な遊技機であって、
遊技機に対する電力供給が停止しても所定期間記憶内容を保持可能な記憶手段と、
前記記憶手段の記憶内容を初期化する初期化処理を実行する初期化手段と、
所定の範囲内にて乱数値を更新する乱数更新手段と、
乱数値を抽出する抽出手段と、
前記抽出手段により抽出された乱数値にもとづいて前記有利状態に制御することを決定可能な決定手段と、
可変表示を行うことが可能な可変表示制御手段と、
前記抽出手段により所定の範囲外の乱数値が抽出された場合に、その旨を報知する報知手段と、を備え、
前記決定手段は、少なくとも所定状態において、前記抽出手段により前記所定の範囲内にて抽出された乱数値がいずれの値であっても前記有利状態に制御することを決定可能であり、
前記可変表示制御手段は、前記決定手段によって前記有利状態に制御することが決定された場合に前記特定表示結果を導出表示し、
前記初期化処理が実行されたときに前記特定表示結果と異なる識別情報を表示する、
ことを特徴とする遊技機。
【手続補正２】
【補正対象書類名】明細書
【補正対象項目名】００１１
【補正方法】変更
【補正の内容】
【００１１】
（手段１）本発明による遊技機は、可変表示を行い、特定表示結果が導出表示されることにもとづいて遊技者にとって有利な有利状態（例えば、可変入賞球装置１５が開状態に制御される状態）に制御可能な遊技機であって、遊技機に対する電力供給が停止しても所定期間記憶内容を保持可能な記憶手段（例えば、ＲＡＭ５５）と、記憶手段の記憶内容を初期化する初期化処理を実行する初期化手段（例えば、遊技制御用マイクロコンピュータ５６０における、ステップＳ１０を実行する部分）と、所定の範囲（例えば、［３〜１３］）内にて乱数値を更新する乱数更新手段（例えば、遊技制御用マイクロコンピュータ５６０における、ステップＳ２５を実行することにより、普通図柄当り判定用乱数を更新する部分）と、乱数値を抽出する抽出手段（例えば、遊技制御用マイクロコンピュータ５６０における、ステップＳ５１１２を実行することにより、ゲート３２を遊技球が通過したときに普通図柄当り判定用乱数（ランダム４）の値を抽出する部分）と、抽出手段により抽出された乱数値にもとづいて有利状態に制御することを決定可能な決定手段（例えば、遊技制御用マイクロコンピュータ５６０における、ステップＳ５１２４を実行する部分）と、可変表示を行うことが可能な可変表示制御手段（例えば、遊技制御用マイクロコンピュータ５６０における、ステップＳ５１００〜Ｓ５１０２を実行する部分）と、前記抽出手段により所定の範囲外の乱数値が抽出された場合にその旨を報知する報知手段と、を備え、決定手段は、少なくとも所定状態において、抽出手段により所定の範囲内にて抽出された乱数値がいずれの値であっても有利状態に制御することを決定可能であり（例えば、遊技制御用マイクロコンピュータ５６０は、ステップＳ５１２４を行うことにより、取得した乱数値が［３〜１３］いずれかであれば、可変入賞球装置１５を開状態に制御することを決定する（図１０参照）。）、可変表示制御手段は、決定手段によって有利状態に制御することが決定された場合に特定表示結果（例えば、当り図柄）を導出表示し（例えば、遊技制御用マイクロコンピュータ５６０は、ステップＳ５１２５を実行する）、初期化処理が実行されたときに特定表示結果と異なる識別情報（例えば、はずれ図柄）を表示する、（例えば、遊技制御用マイクロコンピュータ５６０は、ステップＳ１４Ａを実行する）ことを特徴とする。そのような構成によれば、遊技者に誤解を与えることを防止することができる。
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
野菜室と、
前記野菜室に設けられている、上面が開口している第１の収納容器と、
前記第１の収納容器の上面を覆うように設けられている、上面が開口している第２の収納容器と、
前記野菜室の天井面に設けられている、前記天井面と前記第２の収納容器の前端との間の隙間を塞ぐための第１のサッシュと、
前記野菜室の天井面に設けられている、前記天井面と前記第２の収納容器の後端との間の隙間を塞ぐための第２のサッシュとを備えることを特徴とする冷蔵庫。
【請求項２】
前記第２の収納容器の後端は、前記第２の収納容器の外側で前記第２のサッシュに接触することを特徴とする請求項１に記載の冷蔵庫。
【請求項３】
前記第２の収納容器の前端と前記第１のサッシュの下端との間に、冷気が積極的に出入りできない程度の隙間が生じていることを特徴とする請求項１又は２に記載の冷蔵庫。
【請求項４】
前記冷気が積極的に出入りできない程度の隙間は、１〜３ｍｍ程度の隙間であることを特徴とする請求項３に記載の冷蔵庫。
【請求項５】
前記野菜室の天井面に前記第２のサッシュを装着するための係合部が設けられ、
前記第２のサッシュは、前記第２の収納容器が前記野菜室内に押し込まれる方向と同じ方向に嵌合されることで前記係合部に装着されることを特徴とする請求項１から４のいずれか１項に記載の冷蔵庫。
【請求項６】
前記第２のサッシュは、前記係合部に装着される装着部と、前記野菜室の天井面と前記第２の収納容器の後端との間の間隙を塞ぐためのシール部とで構成され、
前記装着部と前記シール部とが略同じ高さであることを特徴とする請求項５に記載の冷蔵庫。
【手続補正２】
【補正対象書類名】明細書
【補正対象項目名】００１０
【補正方法】変更
【補正の内容】
【００１０】
本発明の冷蔵庫は、上記目的を達成するため、野菜室と、前記野菜室に設けられている、上面が開口している第１の収納容器と、前記第１の収納容器の上面を覆うように設けられている、上面が開口している第２の収納容器と、前記野菜室の天井面に設けられている、前記天井面と前記第２の収納容器の前端との間の隙間を塞ぐための第１のサッシュと、前記野菜室の天井面に設けられている、前記天井面と前記第２の収納容器の後端との間の隙間を塞ぐための第２のサッシュとを備えることを特徴とする。
【手続補正３】
【補正対象書類名】明細書
【補正対象項目名】００１１
【補正方法】削除
【補正の内容】
【手続補正書】
【提出日】平成31年3月18日(2019.3.18)
【手続補正１】
【補正対象書類名】明細書
【補正対象項目名】００６４
【補正方法】変更
【補正の内容】
【００６４】
１、１ａ  ラジアル玉軸受
２、２ａ  外輪軌道
３、３ａ  外輪
４、４ａ  内輪軌道
５、５ａ  内輪
６、６ａ  玉
７、７ａ〜７ｊ  保持器
８    ポケット
９    基部
１０    柱部
１１、１１ａ〜１１ｉ  第一保持器素子
１２、１２ａ〜１２ｉ  第二保持器素子
１３、１３ａ、１３ｂ、１３ｃ  第一基部
１４ａ、１４ｂ、１４ｃ、１４ｄ  第一柱部
１５    第一ポケット
１６、１６ａ  第二ポケット収納部
１７、１７ａ、１７ｂ  第二基部
１８ａ、１８ｂ、１８ｃ、１８ｄ  第二柱部
１９    第二ポケット
２０、２０ａ  第一ポケット収納部
２１、２１ａ〜２１ｃ  第一変位規制部
２２、２２ａ〜２２ｃ  第二変位規制部
２３    第一膨出部
２４    第二膨出部
２５    肉盗み部
２６    第一柱部
２７    第一肩部
２８    第二肩部
２９    第一貫通孔
３０    第二貫通孔
３１    連結部材
３２    係合穴部
３３    ボルト
３４    かしめ部材
３５    第一突き当て面
３６    第二突き当て面
３７    保持凹部
３８    係合凸部
【手続補正２】
【補正対象書類名】図面
【補正対象項目名】図１９
【補正方法】変更
【補正の内容】
【図１９】
2017190842.tif 000001
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
粉砕パルプ又は前記粉砕パルプを主原料とする繊維が積繊され、押圧されたパルプ層と、
前記繊維に供給されたミョウバンと、
前記パルプ層であって、バインダーが上側から供給された後に前記上側から乾燥された上面と、
前記パルプ層であって、前記バインダーが下側から供給された後に前記下側から乾燥された下面と、を備えるパルプ積繊シート。
【請求項２】
前記パルプ層は、前記押圧により凹凸が形成されている請求項１記載のパルプ積繊シート。
【請求項３】
前記バインダーは凹凸が形成された前記パルプ層に供給される請求項２記載のパルプ積繊シート。
【請求項４】
前記バインダーの前記パルプ層に対する含有量は、１〜２０重量％である請求項１から３のいずれか一項に記載のパルプ積繊シート。
【請求項５】
前記下面に前記バインダーが供給され前記乾燥が行われた後に、前記パルプ層にエンボス加工が施される請求項１から４のいずれか一項に記載のパルプ積繊シート。
【請求項６】
粉砕パルプ又は前記粉砕パルプを主原料とする繊維が積繊されたパルプ層を搬送する工程と、
前記繊維にミョウバンを供給する工程と、
前記パルプ層の上面に上側からバインダーを供給した後に前記上側から乾燥を行う工程と、
前記パルプ層の下面に下側から前記バインダーを供給した後に前記下側から乾燥を行う工程と、を含むパルプ積繊シート製造方法。
【請求項７】
前記パルプ層に押圧による凹凸を形成し、前記凹凸が形成された前記パルプ層に前記バインダーを供給する請求項６記載のパルプ積繊シート製造方法。
【請求項８】
前記ミョウバンは液体として前記繊維に供給する請求項６または７記載のパルプ積繊シート製造方法。
【請求項９】
前記バインダーの前記パルプ層に対する含有量は、１〜２０重量％である請求項６から８のいずれか一項に記載のパルプ積繊シート製造方法。
【請求項１０】
前記下面に前記バインダーが供給され前記乾燥が行われた後に、前記パルプ層にエンボス加工を施す工程を含む請求項６から９のいずれか一項に記載のパルプ積繊シート製造方法。
【手続補正２】
【補正対象書類名】明細書
【補正対象項目名】発明の名称
【補正方法】変更
【補正の内容】
【発明の名称】パルプ積繊シート及びパルプ積繊シート製造方法
【手続補正３】
【補正対象書類名】明細書
【補正対象項目名】０００１
【補正方法】変更
【補正の内容】
【０００１】
本発明は、清浄用シートとして利用可能なパルプ積繊シート及びパルプ積繊シート製造方法に関する。
【手続補正４】
【補正対象書類名】明細書
【補正対象項目名】０００６
【補正方法】変更
【補正の内容】
【０００６】
本発明の目的は、薄く、かつ、強度の強いパルプ積繊シート、及び薄く、かつ、強度の強いパルプ積繊シートを製造するパルプ積繊シート製造方法を提供することである。
【手続補正５】
【補正対象書類名】明細書
【補正対象項目名】０００７
【補正方法】変更
【補正の内容】
【０００７】
本発明の第１の態様に係るパルプ積繊シートは、粉砕パルプ又は前記粉砕パルプを主原料とする繊維が積繊され、押圧されたパルプ層と、前記繊維に供給されたミョウバンと、前記パルプ層であって、バインダーが上側から供給された後に前記上側から乾燥された上面と、前記パルプ層であって、前記バインダーが下側から供給された後に前記下側から乾燥された下面と、を備える構成を採る。
【手続補正６】
【補正対象書類名】明細書
【補正対象項目名】０００８
【補正方法】変更
【補正の内容】
【０００８】
本発明の第２の態様に係るパルプ積繊シート製造方法は、粉砕パルプ又は前記粉砕パルプを主原料とする繊維が積繊されたパルプ層を搬送する工程と、前記繊維にミョウバンを供給する工程と、前記パルプ層の上面に上側からバインダーを供給した後に前記上側から乾燥を行う工程と、前記パルプ層の下面に下側から前記バインダーを供給した後に前記下側から乾燥を行う工程と、を含むようにした。
【手続補正７】
【補正対象書類名】明細書
【補正対象項目名】０００９
【補正方法】変更
【補正の内容】
【０００９】
本発明によれば、薄く、かつ、強度の強いパルプ積繊シートを提供することができる。また、本発明によれば、薄く、かつ、強度の強いパルプ積繊シートを製造することができる。
【手続補正書】
【提出日】令和1年8月29日(2019.8.29)
【手続補正１】
【補正対象書類名】明細書
【補正対象項目名】００２２
【補正方法】変更
【補正の内容】
【００２２】
【図１】本発明の第１実施形態になるインホイールモータ動力線の配線構造を示す模式図であり、車幅方向内側からみた状態を表す。
【図２】第１実施形態を示す模式図であり、車両前方からみた状態を表す。
【図３】第１実施形態を示す模式図であり、車両上方からみた状態を表す。
【図４】インホイールモータ駆動装置を示す模式図であり、車幅方向外側からみた状態を表す。
【図５】インホイールモータ駆動装置を示す横断面図である。
【図６】インホイールモータ駆動装置を示す展開断面図である。
【図７】インホイールモータ駆動装置およびサスペンション装置を模式的に示す縦断面図である。
【図８】インホイールモータ駆動装置および動力線を示す模式図であり、車両後方からみた状態を表す。
【図９】インホイールモータ駆動装置および動力線を示す模式図であり、車両上方から転舵軸線方向にみた状態を表す。
【図１０】インホイールモータ駆動装置から動力線およびスリーブを取り出して示す模式図であり、上方から転舵軸線方向にみた状態を表す。
【図１１】インホイールモータ駆動装置から動力線およびスリーブを取り出して示す模式図であり、車幅方向にみた状態を表す。
【図１２】本発明の第２実施形態になるインホイールモータ動力線の配線構造を示す模式図であり、車幅方向内側からみた状態を表す。
【図１３】第２実施形態を示す模式図であり、車両前方からみた状態を表す。
【図１４】第２実施形態を示す模式図であり、車両上方からみた状態を表す。
【図１５】本発明の第３実施形態になるインホイールモータ動力線の配線構造を示す模式図であり、車両前方からみた状態を表す。
【手続補正２】
【補正対象書類名】明細書
【補正対象項目名】００８９
【補正方法】変更
【補正の内容】
【００８９】
次に本発明の第３実施形態を説明する。図１５は本発明の第３実施形態になるインホイールモータ動力線の配線構造を示す模式図であり、車両前方からみた状態を表す。この第３実施形態につき、前述した実施形態と共通する構成については同一の符号を付して説明を省略し、異なる構成について以下に説明する。第３実施形態では、各動力線９３の一端がインホイールモータ駆動装置１０の動力線接続部９１と接続し、各動力線９３の他端が車体１０１まで延びる。各動力線９３の一端から他端までの間には、インホイールモータ駆動装置側領域９３ｈ、中間領域９３ｉ、車体側領域９３ｊがこの順序で連なっている。
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
重ね合わされたフィルム材が接合されている帯状の縦シール部及び横シール部を備え、前記縦シール部及び前記横シール部により内容物を収容可能な収容空間が形成されている包装袋であって、
前記縦シール部は、前記収容空間に隣接して位置する内縁側密封領域と、前記内縁側密封領域よりも前記収容空間から遠い位置に形成されている外縁側密封領域と、前記内縁側密封領域と前記外縁側密封領域との間に位置する中間領域と、を備え、
前記外縁側密封領域は、縦方向に連続して延在する縦目凸部を有する縦目シール領域であり、
前記中間領域は、碁盤目状の凹凸を有する、又は、少なくとも一部が横方向若しくは前記横方向に対して傾斜する傾斜方向に連続して延在する非縦目凸部を有する、非縦目シール領域であることを特徴とする包装袋。
【請求項２】
前記内縁側密封領域は、前記縦方向に連続して延在する帯状の平滑シール領域、及び、前記縦方向に連続して延在すると共に微細凹凸が形成された凹凸粗面を有する帯状の梨地シール領域、の少なくとも一方を含むことを特徴とする、請求項１に記載の包装袋。
【請求項３】
前記縦目シール領域を第１縦目シール領域とし前記縦目凸部を第１縦目凸部とした場合に、前記内縁側密封領域は、前記縦方向に連続して延在する第２縦目凸部を有する第２縦目シール領域を含むことを特徴とする、請求項１又は２に記載の包装袋。
【請求項４】
前記第１縦目シール領域及び前記第２縦目シール領域は、前記非縦目シール領域に隣接していることを特徴とする、請求項３に記載の包装袋。
【請求項５】
前記非縦目シール領域の前記非縦目凸部は、前記第１縦目シール領域の前記第１縦目凸部から、前記第２縦目シール領域の前記第２縦目凸部まで連続して延在している、請求項４に記載の包装袋。
【請求項６】
前記非縦目凸部は、前記横方向に連続して延在する横目凸部であり、
前記非縦目シール領域は、前記横目凸部が複数形成されている横目シール領域であることを特徴とする、請求項１乃至５のいずれか１つに記載の包装袋。
【請求項７】
前記非縦目凸部は、前記傾斜方向に連続して延在する傾斜目凸部であり、
前記非縦目シール領域は、前記傾斜目凸部が複数形成されている傾斜目シール領域であることを特徴とする、請求項１乃至５のいずれか１つに記載の包装袋。
【請求項８】
前記非縦目凸部は、Ｖ字状に連続して延在するＶ字目凸部であり、
前記非縦目シール領域は、前記Ｖ字目凸部が複数形成されているＶ字目シール領域であることを特徴とする、請求項１乃至５のいずれか１つに記載の包装袋。
【請求項９】
前記非縦目凸部は、前記横方向に波線状に連続して延在する波目凸部であり、
前記非縦目シール領域は、前記波目凸部が複数形成されている波目シール領域であることを特徴とする、請求項１乃至５のいずれか１つに記載の包装袋。
【請求項１０】
前記非縦目凸部は、弓状に連続して延在する弓目凸部であり、
前記非縦目シール領域は、前記弓目凸部が複数形成されている弓目シール領域であることを特徴とする、請求項１乃至５のいずれか１つに記載の包装袋。
【請求項１１】
前記縦シール部及び前記横シール部は、重ね合わせた前記フィルム材が熱溶着されたヒートシール部であることを特徴とする、請求項１乃至１０のいずれか１つに記載の包装袋。
【請求項１２】
重ね合わせたフィルム材を挟持部により挟持し縦方向に搬送すると共に、前記挟持部において熱及び圧力により重ね合わされた前記フィルム材を接合する一対の回転体であって、
一方の回転体の外面には、周方向に連続して延在する平滑環状面、梨地環状面及び環状凸部の少なくとも１つを含む第１領域と、前記周方向に連続して延在する環状凸部を有する第２領域と、前記一方の回転体の軸方向において前記第１領域と前記第２領域との間に位置し、碁盤目状の凹凸を有する、又は、少なくとも一部が前記軸方向又は前記軸方向に対して傾斜する傾斜方向に連続して延在する凸部を有する第３領域と、が設けられており、
他方の回転体の外面には、前記第１領域と対向して配置され、前記第１領域との間で前記フィルム材を挟持することにより、前記フィルム材に前記第１領域の表面形状に沿うシール部分を形成する第１対応領域と、前記第２領域と対向して配置され、前記第２領域との間で前記フィルム材を挟持することにより、前記フィルム材に前記第２領域の表面形状に沿うシール部分を形成する第２対応領域と、前記第３領域と対向して配置され、前記第３領域との間で前記フィルム材を挟持することにより、前記フィルム材に前記第３領域の表面形状に沿うシール部分を形成する第３対応領域と、が設けられていることを特徴とする一対の回転体。
【請求項１３】
請求項１２に記載の一対の回転体を備えることを特徴とする包装袋の製造装置。
【請求項１４】
前記第１縦目シール領域の前記第１縦目凸部の数、及び隣接する前記第１縦目凸部の間隔は、前記第２縦目シール領域の前記第２縦目凸部の数、及び隣接する前記第２縦目凸部の間隔と同じであることを特徴とする、請求項３乃至５のいずれか１つに記載の包装袋。
【請求項１５】
前記第２領域は第１縦目シール形成領域であり、
前記第１領域は、前記環状凸部を含む第２縦目シール形成領域を含み、
前記第１縦目シール形成領域及び前記第２縦目シール形成領域は、前記第３領域に隣接していることを特徴とする、請求項１２に記載の一対の回転体。
【請求項１６】
前記第３領域の前記凸部は、前記第１縦目シール形成領域の前記環状凸部から、前記第２縦目シール形成領域の前記環状凸部まで連続して延在している、請求項１５に記載の一対の回転体。
【請求項１７】
前記第１縦目シール形成領域の前記環状凸部の数、及び隣接する前記環状凸部の間隔は、前記第２縦目シール形成領域の前記環状凸部の数、及び隣接する前記環状凸部の間隔と同じであることを特徴とする、請求項１５又は１６に記載の一対の回転体。
【手続補正書】
【提出日】平成30年11月27日(2018.11.27)
【手続補正１】
【補正対象書類名】特許請求の範囲
【補正対象項目名】請求項３
【補正方法】変更
【補正の内容】
【請求項３】
前記制御部は、過去の前記火花点火燃焼から前記圧縮自着火燃焼への切り替え時の前記水噴射の水量に基づいて前記所定量を算出する請求項２に記載の内燃機関の制御装置。